(57)【要約】【課題】ユーザーに適正な環境温度下で血圧の測定を行うことを促すことができる血圧測定装置、方法、及びプログラムを提供する。【解決手段】血圧測定装置１０は、環境温度を測定し、環境温度が予め定めた閾値以上の場合は血圧の測定を行うように制御し、環境温度が閾値未満の場合は血圧の測定を行わないように制御すると共に、環境温度が血圧の測定に適正な温度ではないことを警告するように制御する。【選択図】図１
2015228971.tif 000002
【特許請求の範囲】
【請求項１】
環境温度を測定する環境温度測定手段と、
血圧を測定する血圧測定手段と、
前記環境温度が予め定めた閾値以上の場合は前記血圧の測定を行うように前記血圧測定手段を制御し、前記環境温度が前記閾値未満の場合は前記血圧の測定を行わないように前記血圧測定手段を制御すると共に、前記環境温度が前記血圧の測定に適正な温度ではないことを警告するように制御する制御手段と、
を備えた血圧測定装置。
【請求項２】
警告中に前記血圧の測定を強制指示する強制指示手段を備え、
前記制御手段は、前記強制指示手段により前記血圧の測定が強制指示された場合、前記血圧の測定を行うように前記血圧測定手段を制御すると共に、前記環境温度が前記血圧の測定に適正な温度ではないことを警告するように制御する
請求項１記載の血圧測定装置。
【請求項３】
前記制御手段は、前記血圧測定手段により測定した血圧の血圧値と、前記環境温度測定手段により測定した環境温度と、を対応付けて記憶手段に記憶させ、前記記憶手段に記憶された過去の前記血圧値のうち、指定された時点の前記血圧値の読み出しを指示された場合において、読み出した前記指定された時点の前記血圧値に対応する環境温度が前記閾値未満の場合、前記血圧の測定に適正ではない環境温度で測定されたことを警告するように制御する
請求項１又は請求項２記載の血圧測定装置。
【請求項４】
前記制御手段は、読み出した前記指定された時点の前記血圧値が、前記記憶手段に記憶された過去の前記血圧値の平均値より高い場合にのみ、前記血圧の測定に適正ではない環境温度で測定されたことを警告するように制御する
請求項３記載の血圧測定装置。
【請求項５】
前記制御手段は、前記環境温度が前記閾値未満の場合で、かつ、ユーザーの年齢、季節、及び時刻の少なくとも１つが予め定めた条件を満たす場合にのみ、前記環境温度が前記血圧の測定に適正な温度ではないことを警告するように制御する
請求項１〜４の何れか１項に記載の血圧測定装置。
【請求項６】
外部装置と通信する通信手段を備え、
前記制御手段は、前記環境温度が前記閾値未満の場合において前記血圧測定手段により測定された測定データのみを前記外部装置へ送信する
請求項１〜５の何れか１項に記載の血圧測定装置。
【請求項７】
環境温度を測定し、
前記環境温度が予め定めた閾値以上の場合は血圧の測定を行うように制御し、前記環境温度が前記閾値未満の場合は前記血圧の測定を行わないように制御すると共に、前記環境温度が前記血圧の測定に適正な温度ではないことを警告するように制御する
血圧測定方法。
【請求項８】
コンピュータに、
環境温度を測定し、
前記環境温度が予め定めた閾値以上の場合は血圧の測定を行うように制御し、前記環境温度が前記閾値未満の場合は前記血圧の測定を行わないように制御すると共に、前記環境温度が前記血圧の測定に適正な温度ではないことを警告するように制御する
ことを含む処理を実行させるための血圧測定プログラム。
【発明の詳細な説明】
【技術分野】
【０００１】
本発明は、血圧測定装置、方法、及びプログラムに関する。
【背景技術】
【０００２】
従来、温度センサを備えた血圧計が提案されている（例えば特許文献１〜３参照）。血圧を測定する際の環境温度が低すぎると、通常よりも血圧は高めに測定されてしまう。このため、血圧を測定する際には、適正な温度下で行う必要がある。
【先行技術文献】
【特許文献】
【０００３】
【特許文献１】特開２００９−１７２１００号公報
【特許文献２】特開２０１０−９９３８４号公報
【特許文献３】特開平３−２３１６２９号公報
【発明の概要】
【発明が解決しようとする課題】
【０００４】
しかしながら、特許文献１〜３に記載された血圧計は、温度センサを備えるものの、検出される環境温度が低すぎる場合でも測定は実行されてしまうため、ユーザーに対して適正な環境温度下で血圧の測定を行うことを促すには不十分である。
【０００５】
本発明は、ユーザーに適正な環境温度下で血圧の測定を行うことを促すことができる血圧測定装置、方法、及びプログラムを提供することを目的とする。
【課題を解決するための手段】
【０００６】
上記課題を解決するため、請求項１記載の発明の血圧測定装置は、環境温度を測定する環境温度測定手段と、血圧を測定する血圧測定手段と、前記環境温度が予め定めた閾値以上の場合は前記血圧の測定を行うように前記血圧測定手段を制御し、前記環境温度が前記閾値未満の場合は前記血圧の測定を行わないように前記血圧測定手段を制御すると共に、前記環境温度が前記血圧の測定に適正な温度ではないことを警告するように制御する制御手段と、を備える。
【０００７】
なお、請求項２に記載したように、警告中に前記血圧の測定を強制指示する強制指示手段を備え、前記制御手段は、前記強制指示手段により前記血圧の測定が強制指示された場合、前記血圧の測定を行うように前記血圧測定手段を制御すると共に、前記環境温度が前記血圧の測定に適正な温度ではないことを警告するように制御するようにしてもよい。
【０００８】
また、請求項３に記載したように、前記制御手段は、前記血圧測定手段により測定した血圧の血圧値と、前記環境温度測定手段により測定した環境温度と、を対応付けて記憶手段に記憶させ、前記記憶手段に記憶された過去の前記血圧値のうち、指定された時点の前記血圧値の読み出しを指示された場合において、読み出した前記指定された時点の前記血圧値に対応する環境温度が前記閾値未満の場合、前記血圧の測定に適正ではない環境温度で測定されたことを警告するように制御するようにしてもよい。
【０００９】
また、請求項４に記載したように、前記制御手段は、読み出した前記指定された時点の前記血圧値が、前記記憶手段に記憶された過去の前記血圧値の平均値より高い場合にのみ、前記血圧の測定に適正ではない環境温度で測定されたことを警告するように制御するようにしてもよい。
【００１０】
また、請求項５に記載したように、前記制御手段は、前記環境温度が前記閾値未満の場合で、かつ、ユーザーの年齢、季節、及び時刻の少なくとも１つが予め定めた条件を満たす場合にのみ、前記環境温度が前記血圧の測定に適正な温度ではないことを警告するように制御するようにしてもよい。
【００１１】
また、請求項６に記載したように、外部装置と通信する通信手段を備え、前記制御手段は、前記環境温度が前記閾値未満の場合において前記血圧測定手段により測定された測定データのみを前記外部装置へ送信するようにしてもよい。
【００１２】
請求項７記載の発明の血圧測定方法は、環境温度を測定し、前記環境温度が予め定めた閾値以上の場合は血圧の測定を行うように制御し、前記環境温度が前記閾値未満の場合は前記血圧の測定を行わないように制御すると共に、前記環境温度が前記血圧の測定に適正な温度ではないことを警告するように制御する。
【００１３】
請求項８記載の血圧測定プログラムは、コンピュータに、環境温度を測定し、前記環境温度が予め定めた閾値以上の場合は血圧の測定を行うように制御し、前記環境温度が前記閾値未満の場合は前記血圧の測定を行わないように制御すると共に、前記環境温度が前記血圧の測定に適正な温度ではないことを警告するように制御することを含む処理を実行させるための血圧測定プログラムである。
【発明の効果】
【００１４】
本発明によれば、ユーザーに適正な環境温度下で血圧の測定を行うことを促すことができる、という効果を有する。
【図面の簡単な説明】
【００１５】
【図１】血圧測定装置の外観図である。
【図２】血圧測定装置のブロック図である。
【図３】血圧測定処理プログラムによる処理のフローチャートである。
【図４】血圧測定処理プログラムによる処理のフローチャートである。
【図５】血圧測定処理プログラムによる処理のフローチャートである。
【図６】環境温度の表示例を示す図である。
【図７】血圧値等の表示例を示す図である。
【発明を実施するための形態】
【００１６】
以下、本発明の実施形態について説明する。
【００１７】
図１は、本実施形態に係る血圧測定装置１０の外観図である。図１に示すように、血圧測定装置１０は、本体１０Ａとカフ１０Ｂとがチューブ１０Ｃにより接続された構成である。本体１０Ａには、表示部１２及び操作部１４が設けられている。
【００１８】
表示部１２は、例えば液晶パネル等で構成される。表示部１２には、例えば各種設定画面や測定結果等の各種画面が表示される。
【００１９】
操作部１４は、図１に示すように、複数の操作ボタンを含んで構成されており、ユーザー情報の入力操作等の他、各種操作を行うための操作部である。各操作ボタンには、測定を指示する機能、メモリに記憶された過去の測定データの読み出しを指示する機能、各種入力や設定を行う機能等が割り当てられる。
【００２０】
なお、表示部１２及び操作部１４をタッチパネルとし、画面に直接タッチすることで操作が可能な構成としてもよい。
【００２１】
図２には、血圧測定装置１０の制御系のブロック図を示した。図２に示すように、血圧測定装置１０は、表示部１２、操作部１４、コントローラ１６、血圧測定部１８、環境温度測定部２０、タイマ２２、及び通信部２４を備えている。
【００２２】
コントローラ１６は、ＣＰＵ（Ｃｅｎｔｒａｌ  Ｐｒｏｃｅｓｓｉｎｇ  Ｕｎｉｔ）１６Ａ、ＲＯＭ（Ｒｅａｄ  Ｏｎｌｙ  Ｍｅｍｏｒｙ）１６Ｂ、ＲＡＭ（Ｒａｎｄｏｍ  Ａｃｃｅｓｓ  Ｍｅｍｏｒｙ）１６Ｃ、不揮発性メモリ１６Ｄ、及び入出力インターフェース（Ｉ／Ｏ）１６Ｅがバス１６Ｆを介して各々接続された構成となっている。この場合、後述する血圧測定処理をコントローラ１６のＣＰＵ１６Ａに実行させる血圧測定プログラムを、例えば不揮発性メモリ１６Ｄに書き込んでおき、これをＣＰＵ１６Ａが読み込んで実行する。なお、血圧測定プログラムは、ＣＤ−ＲＯＭ、メモリーカード等の記録媒体により提供するようにしてもよく、図示しないサーバからダウンロードするようにしてもよい。
【００２３】
Ｉ／Ｏ１６Ｅには、表示部１２、操作部１４、血圧測定部１８、環境温度測定部２０、タイマ２２、及び通信部２４が接続されている。
【００２４】
血圧測定部１８は、図示は省略するが、カフ１０Ｂに内包された空気袋にチューブ１０Ｃを介して空気を供給するためのエアーポンプ、前記空気袋内の圧力を検出する圧力センサ等を含んで構成される。
【００２５】
血圧測定部１８は、エアーポンプを駆動してカフ１０Ｂに内包された空気袋に空気を供給して圧力センサにより空気袋内の圧力を検出し、検出した圧力に基づいて、最高血圧、最低血圧、及び脈拍数を測定する。
【００２６】
環境温度測定部２０は、血圧測定装置１０の周囲の環境の温度を検出する温度センサを備える。
【００２７】
タイマ２２は、現在時刻を取得する機能及び設定された時間を計時する計時機能を有する。
【００２８】
通信部２４は、外部装置と無線通信又は有線通信により情報の送受信を行う。これにより、血圧測定装置１０は、例えばパーソナルコンピュータ、携帯電話、スマートフォン、タブレット端末等の外部装置と通信することが可能である。
【００２９】
次に、本実施形態の作用として、コントローラ１６のＣＰＵ１６Ａにおいて実行される血圧測定プログラムによる処理について、図３〜５に示すフローチャートを参照して説明する。なお、図３に示す処理は、ユーザーが血圧測定装置１０の電源をオンした場合に実行される。
【００３０】
ステップＳ１００では、ユーザーが操作部１４を操作することにより血圧の測定が指示されたか否かを判定し、測定が指示された場合はステップＳ１０２へ移行し、測定が指示されていない場合にはステップＳ１０４へ移行する。
【００３１】
ステップＳ１０２では、図４に示す血圧の測定処理を実行する。
【００３２】
図４のステップＳ２００では、環境温度測定部２０に環境温度を測定するよう指示し、環境温度測定部２０により測定された環境温度を取得する。
【００３３】
ステップＳ２０２では、取得した環境温度が予め定めた閾値α未満であるか否かを判定する。閾値αは、血圧を測定する環境として適正な環境温度か否かを判断できる値（例えば１０°Ｃ）に設定される。
【００３４】
そして、環境温度が閾値α未満の場合は、血圧を測定する環境としては適正でない環境温度であると判定し、ステップＳ２０４へ移行する。
【００３５】
ステップＳ２０４では、環境温度が血圧の測定に適正な温度ではないことを警告する。具体的には、例えば図６に示すように、ステップＳ２００で取得した環境温度を表示部１２に表示させるが、単に表示するだけではなく、環境温度を点滅表示させる。これにより、ユーザーは、血圧を測定するのに適正でない環境であることを容易に認識することができる。なお、環境温度の高い所へ移動して測定するよう促すメッセージを表示部１２に表示させるようにしてもよい。
【００３６】
一方、ステップＳ２０２で環境温度が閾値α以上であると判定された場合は、血圧を測定する環境として適正な環境温度であると判定し、ステップＳ２１２へ移行する。
【００３７】
ステップＳ２１２では、血圧を測定するよう血圧測定部１８に指示し、血圧測定部１８により測定された血圧値（最高血圧及び最低血圧）及び脈拍数を取得する。
【００３８】
ステップＳ２１４では、例えば図７に示すように、ステップＳ２１２で測定した血圧値、脈拍数、及び測定日時を表示部１２に表示させる。また、ステップＳ２１２で測定した血圧値、脈拍数、及び測定日時と、ステップＳ２００で取得した環境温度と、を含む測定データを不揮発性メモリ１６Ｄに記憶させる。
【００３９】
ステップＳ２０６では、ステップＳ２０４で警告表示を開始してから予め定めたβ時間経過したか否かを判定し、β時間経過した場合はステップＳ２０８へ移行する。
【００４０】
ステップＳ２０８では、電源をオフして本ルーチンを終了する。
【００４１】
一方、ステップＳ２０４で警告表示を開始してからβ時間経過していない場合はステップＳ２１０へ移行する。
【００４２】
ステップＳ２１０では、ユーザーが操作部１４を操作して血圧の測定を強制指示したか否かを判定し、ユーザーが血圧の測定を強制指示した場合はステップＳ２１２へ移行する。一方、ユーザーが血圧の測定を強制指示していない場合はステップＳ２０６へ戻ってβ時間経過したか否かを判定する。
【００４３】
ステップＳ２１２では、前述したのと同様に血圧を測定する。
【００４４】
ステップＳ２１４では、前述したのと同様に測定データを表示部１２に表示させると共に、測定データを不揮発性メモリ１６Ｄに記憶させるが、この場合は、環境温度が血圧の測定に適正でない温度であるにも拘わらずユーザーの強制指示によって血圧を測定しているので、精度良く測定できていない虞がある。
【００４５】
そこで、図７に示すように血圧値及び脈拍数を表示した画面を点滅表示させた画面と、図６に示すように環境温度を表示した画面を点滅表示させた画面とを交互に表示部１２に表示させる。これにより、ユーザーは、血圧を測定するのに適さない環境で測定した結果であることを容易に認識することができる。
【００４６】
図３へ戻ってステップＳ１０４では、ユーザーが操作部１４を操作することにより過去の指定した時点の測定データの読み出しが指示されたか否かを判定し、読み出しが指示された場合はステップＳ１０６へ移行し、読み出しが指示されていない場合にはステップＳ１０８へ移行する。
【００４７】
ステップＳ１０６では、図５に示す読み出し処理を実行する。
【００４８】
図５のステップＳ３００では、ユーザーにより指定された時点の測定データを不揮発性メモリ１６Ｄから読み出す。
【００４９】
ステップＳ３０２では、読み出した測定データに含まれる環境温度が閾値α未満であるか否かを判定し、閾値α未満の場合はステップＳ３０４へ移行し、閾値α以上の場合はステップＳ３１０へ移行する。
【００５０】
ステップＳ３０４では、不揮発性メモリ１６Ｄに記憶された過去の全ての血圧値の平均値を各々算出する。
【００５１】
ステップＳ３０６では、ステップＳ３００で読み出した血圧値が、ステップＳ３０４で算出した血圧値の平均値より高いか否かを各々判定する。そして、ステップＳ３００で読み出した血圧値が、ステップＳ３０４で算出した平均値より高い場合はステップＳ３０８へ移行し、ステップＳ３００で読み出した血圧値が、ステップＳ３０４で算出した平均値以下の場合はステップＳ３１０へ移行する。
【００５２】
ステップＳ３０８では、読み出した測定データを表示する。具体的には、図７に示すように血圧値及び脈拍数を表示した画面であって、血圧値を点滅表示した画面と、図６に示すように環境温度を点滅表示した画面と、を交互に表示部１２に表示させる。このように、環境温度を点滅表示させることにより警告するので、ユーザーは、読み出した測定データが、血圧を測定するのに適さない環境で測定したときの測定データであり、血圧値が高めに測定されたことを容易に認識することができる。なお、ステップＳ３０４〜Ｓ３０８の処理は最高血圧及び最低血圧のそれぞれについて行う。すなわち、最高血圧及び最低血圧の点滅表示は独立して行われる。また、ステップＳ３０８の警告は、例えば点滅表示の点滅速度を遅くする等して、図４のステップＳ２０４の警告よりも弱い警告としてもよい。
【００５３】
一方、ステップＳ３１０では、読み出した測定データを表示する。具体的には、図７に示すように血圧値及び脈拍数を表示した画面と環境温度を表示した画面とを交互に表示部１２に表示させる。この場合、環境温度は閾値α以上であるため、環境温度は点滅表示させず、通常の表示を行う。
【００５４】
このように、ステップＳ３００で読み出した血圧値が、ステップＳ３０４で算出した平均値より高い場合にのみ環境温度を点滅表示して警告するので、必要以上に警告してしまうのを防ぐことができる。なお、ステップＳ３０６の処理を省略し、ステップＳ３００で読み出した環境温度が閾値α未満の場合は全て環境温度を点滅表示して警告するようにしてもよい。
【００５５】
図３へ戻ってステップＳ１０８では、ユーザーが操作部１４を操作することにより、測定データの外部装置への送信が指示されたか否かを判定し、送信が指示された場合はステップＳ１１０へ移行し、送信が指示されていない場合にはステップＳ１１２へ移行する。
【００５６】
ステップＳ１１０では、ステップＳ１０２で測定された測定データを、通信部２４を介して外部装置へ送信するが、環境温度が閾値α未満の場合の測定データのみを送信する。この場合、送信する測定データには、最高血圧、最低血圧、脈拍数、測定日時、及び環境温度のうち少なくとも１つを含めばよい。
【００５７】
ステップＳ１１２では、ユーザーが操作部１４を操作することにより、電源オフが指示されたか否かを判定する。そして、電源オフが指示された場合はステップＳ１１４へ移行して電源をオフする処理を実行し、電源オフが指示されていない場合は、ステップＳ１００へ戻って上記と同様の処理を繰り返す。
【００５８】
このように、本実施形態では、血圧を測定する際の環境温度が適正でない場合には測定を行わずに警告するので、ユーザーに適正な環境温度下で血圧の測定を行うことを強く促すことができる。また、環境温度が適正でない場合であっても、血圧の測定が強制指示された場合には血圧の測定を行うので、ユーザーの利便性が損なわれるのを防ぐことができる。また、強制指示により血圧の測定を行った場合には、適正な環境温度下において行われた測定ではないことを警告するので、ユーザーに適正な環境温度下で血圧の測定を行うことを促すことができる。
【００５９】
なお、本実施形態では、環境温度が閾値α未満の場合に、環境温度が適正な温度でないことを警告する場合について説明したが、環境温度が閾値α未満の場合で、且つ、ユーザーの年齢、季節、及び時刻の少なくとも１つが予め定めた条件を満たす場合にのみ、前記警告を実行するようにしてもよい。例えば、ユーザーの年齢を入力させ、入力されたユーザーの年齢が予め定めた年齢（例えば６０歳）以上の高齢者の場合、すなわち心血管疾患のリスクが高い高齢者の場合にのみ警告を実行し、予め定めた年齢未満の場合は環境温度が閾値α未満であっても警告しないようにしてもよい。また、例えば季節が心血管疾患のリスクが高くなる冬（例えば１１〜２月）の場合にのみ警告を実行し、冬以外の季節の場合は環境温度が閾値α未満であっても警告しないようにしてもよい。また、例えば時刻が心血管疾患のリスクが高くなる朝方の時刻（例えば６時〜８時）の場合にのみ警告を実行し、その他の時刻の場合は環境温度が閾値α未満であっても警告しないようにしてもよい。
【００６０】
また、本実施形態では、血圧値等の表示と環境温度の点滅表示とを交互に表示することで警告する場合について説明したが、血圧値等と環境温度を同じ画面に表示し、例えば環境温度のみ又は画面全体を点滅表示することで警告してもよい。
【００６１】
また、ブザー音や音声を出力することで警告してもよいし、例えばＬＥＤを点滅させて警告してもよい。すなわち、音及び光の少なくとも一方を用いて警告するようにしてもよい。
【００６２】
また、環境温度が閾値αよりも小さい閾値γ未満の場合には、更に強い警告を行うようにしてもよい。例えば図６の環境温度の点滅表示の点滅速度を更に速くすることで強い警告を行うようにしてもよい。
【符号の説明】
【００６３】
１０   血圧測定装置
１０Ａ 本体
１０Ｂ カフ
１０Ｃ チューブ
１２   表示部
１４   操作部
１６   コントローラ
１８   血圧測定部
２０   環境温度測定部
２２   タイマ
２４   通信部
【図１】
2015228971.tif 000003
【図２】
2015228971.tif 000004
【図３】
2015228971.tif 000005
【図４】
2015228971.tif 000006
【図５】
2015228971.tif 000007
【図６】
2015228971.tif 000008
【図７】
2015228971.tif 000009